(57)【特許請求の範囲】
【請求項１】
周囲に周枠部を形成するとともに内側に適当深さの凹み部を形成した左右の両蓋板材の中間部に，中間板材をはさんで収納板材をそれぞれの基端部を前記両蓋板材の基端部に枢着して設け、収納板材及び中間板材の各表裏両面部にＣＤを収納し、前記中間板材及び収納板材の表裏両面部の各収納部に収納したＣＤの中心孔の中心がそれぞれ互に齟齬して位置するとともに前記中間板材及び収納板材の収納部の中心孔の中心からも齟齬して位置するようにして成るコンパクトディスク収納具。
【請求項２】
周囲に周枠部を形成するとともに内側に適当深さの凹み部を形成した左右の両蓋板材の中間部に、中間板材をはさんで収納板材をそれぞれの基端部を前記両蓋板材の基端部に枢着して設け、収納板材及び中間板材の各表裏両面部にＣＤを収納し、前記中間板材及び各収納板材は各中間板部の中心孔から適当距離をおいた周囲に周壁部を設け、この周壁部には前記中心孔に対し斜め方向に複数の切欠部を設け、前記中間板材及び収納板材の周壁部の内側適所に凸起部を設け、この凸起部に対向する周壁部の前記切欠部位置に全体が略円形状の周壁部の一部を形成するように弾発片を両端に突接部を形成して設け、ＣＤを前記中間板材及び収納板材の表裏両面部の各収納部に収納したときＣＤの周縁部を前記凸起部と前記弾発片の突接部との間で加圧抑止し、各ＣＤの中心孔の中心が中間板材及び収納板材に設けた中心孔の中心に対し齟齬して位置するとともに各ＣＤの中心孔の中心もそれぞれ互に齟齬して位置するように成るコンパクトディスク収納具。
【請求項３】
各収納板材の中間板部の中心孔から適当距離をおいた周囲に周壁部を設け、この周壁部には前記中心孔に対し斜め方向に複数の切欠部を設け、前記収納板材の周壁部の内側適所に凸起部を設け、この凸起部に対向する周壁部の前記切欠部位置に全体が略円形状の周壁部の一部を形成するように弾発片を両端に突接部を形成して設け、ＣＤを前記収納板材の表裏両面部の各収納部に収納したときＣＤの周縁部を前記凸起部と前記弾発片の突接部との間で加圧抑止し、各ＣＤの中心孔の中心が収納板材に設けた中心孔の中心に対し齟齬して位置するとともに各ＣＤの中心孔の中心もそれぞれ互に齟齬状態に位置するようにして成るコンパクトディスク収納具。
【発明の詳細な説明】
【０００１】
【産業上の利用分野】
本発明は、コンパクトディスク（以下、ＣＤという。）を整理し保管するための収納具に関するものである。
【０００２】
【従来の技術】
従来技術として存する実公平７−２４７５号と特開平９−１２０７４号は、ケースの中心に隆起部材を設け、これにＣＤの中心孔部を嵌挿して保持するものであるが、ＣＤの取り出し時には比較的強い力を加えなければ外れにくかったために、円盤が歪むなどの欠点があったし、取り外しの最初の段階ではＣＤの中心孔部に指先がかからないため、ＣＤの厚さ方向にまで指先でつまむことになり、ＣＤの記録面を汚すなどの欠点があった。
【０００３】
また、実公平５−３１７２４号は、プレーヤやドライブにケースのままセットして使用するものであるが、金属発条を用いていることから、構造が複雑なものとなり、製造コストもかかっていた。
【０００４】
さらに、実開平１−１１４５８９号は、置きセットに光学記録面が接触するものであるため、擦傷するおそれがあった。
【０００５】
【発明が解決しようとする課題】
そこで、本発明は、これらの欠点を一掃し、ＣＤの整理と保管を常に円滑かつ確実に行うことができるものを提供することを目的とするものである。
【０００６】
【課題を解決するための手段】
本発明は、周囲に周枠部を形成するとともに内側に適当深さの凹み部を形成した左右の両蓋板材の中間部に，中間板材をはさんで収納板材をそれぞれの基端部を前記両蓋板材の基端部に枢着して設け、収納板材及び中間板材の各表裏両面部にＣＤを収納し、前記中間板材及び収納板材の表裏両面部の各収納部に収納したＣＤの中心孔の中心がそれぞれ互に齟齬して位置するとともに前記中間板材及び収納板材の収納部の中心孔の中心からも齟齬して位置するようにして成るものである。
【０００７】
【発明の実施の形態】
いまケース内に所定のＣＤをそれぞれ収納する場合（図１乃至図７参照）は、閉口状態にある蓋板材を開口すべく、ケースの開口正面部に中間板材をはさんで左右両側部に設置する蓋板材の一方の凹形部に右手の親指をかけるとともに凸形部の突起部に左手の親指をかけてこれを外方向に強く引く。すると、中間板材の前周壁部の内側中央に設けた角突子は、前記蓋板材の前面の凹形部と凸形部との交わる内側の中央角部に係合していたのが解除されて開口するようになる。
【０００８】
そこで、このケース内部の蓋板材の凹み部に収納状態にある収納板材を、その角隅部分を把持して開き反対側に倒す。しかる後に、収納板材の収納部の中心孔から斜め上方にある指掛孔側からその対角線上にある弾発片方向にＣＤを挿入するとともにこの弾発片を押圧するようにする。すると、ＣＤによって弾発片はその両端の突接部を介して押圧されるから、収納板材の収納部にＣＤが十分入ったとき押圧していた指先を離せば、こんどは弾発片の両突接部がＣＤの周縁部を押圧するようになるとともにその上面部を抑止爪で押さえ止める。
【０００９】
同時に、このＣＤは、前記弾性片とは反対側の２個所に設けた突爪によって上側面を抑止保持されるが、この突爪の下内側にある凸起部によって内側方向に押圧されるから、相対する両側方からの押圧力によってＣＤはその中心孔を収納部の中心孔から一方にやや寄った位置に固定されるようになる。
【００１０】
また、ＣＤは収納板材の収納部においては、中心孔周囲の隆起部によって、若干の離間状態を保持して収納される。
【００１１】
ＣＤのこのような収納状態は、収納板材の表裏両収納部において同様になされる。即ち、収納部の周壁に対面する突接部と抑止爪を付した弾性片と、凸起部を付した突爪とは、表裏両収納部においてそれぞれ離れた位置に設けられているから、ＣＤをそれぞれの収納部に収納したとき、ＣＤの周縁部に与える加圧力はそれぞれ別異方向に作用して固定するようになる。
【００１２】
これによって、各板材の表裏両面の収納部にＣＤを収納したときは、表裏の各ＣＤの中心孔の中心は前記突爪の各凸起部の厚さ分だけ各異別方向に加圧されてずれるから、互に合わない位置にあり、各板材の中心孔の中心とも合わないようになる。
【００１３】
次に、各収納板材の表裏両面の各収納部からＣＤを取り出すときは、前記収納板材の収納面に載置しているＣＤを、その中心孔とその斜め上方の指掛孔に指先をかけ、指掛孔から反対側の弾発片方向にＣＤの周縁部を押圧する。
【００１４】
すると、指掛孔に隣接する突爪からまずＣＤの掛止めが外れ、次に対角線上にある弾発片が押圧されて緩み、その両突接部が外方に開くようになるとともに抑止爪との係合から外れるから、ＣＤは周囲の周壁部から外れるようになる。
【００１５】
そこで、いま人差し指を表面側の収納部上のＣＤの中心孔に差し入れてこれを持ち上げようとした時、裏面側の収納部上のＣＤの中心孔に指先が触れたとしても、両方のＣＤの中心孔の位置は予め互にずれているから、誤まって裏面側のＣＤの中止孔に指先が掛かることはなく、表面側のＣＤの中心孔のみに掛かってこれを持ち上げることができるようになる。
【００１６】
以上は、収納板材の収納部におけるＣＤの収納及び取出しについての作用の説明であるが、両収納板材の中間に介在する中間板材の収納部においても同様の構成であるから、同様の作用をするものである。
【００１７】
また、ファイル形の収納具（図８参照）の場合にあっても、収納板材の収納部の構造は前記ケース形の収納具と同じであるから、その作業も前記と同様の作業をすればよい。
【００１８】
【実施例】
第１実施例（図１乃至図７参照）
この例は、２枚のＣＤを収納板材及び中間板材の表裏両面部の収納部に収納するケース形の収納具である。
【００１９】
１，１は周囲四側に周枠部２，２を形成し、その内側に適当深さの凹み部３，３を形成した左右の蓋板材で、その外形状は左右対称に成る。
【００２０】
４，４は前記蓋板材１，１の開口正面部の半部分に形成した凹形部で、この凹形部に連続する開口前面部の他の半部分には凸形部５，５を形成するとともに開口縁部に小さな突起部５'，５'を設ける。前記凹形部４も突起部５'も親指掛け部となる。
【００２１】
６，６は前記蓋板材１の基端周壁部の両側部に形成した段部で、この段部の外側には後記中間板材７の上下端部の水平耳部９，９，９，９を枢着１０，１０，１０，１０するように成る。
【００２２】
７は前記左右蓋板材１，１の中間部に介在する中間板材で、この中間板材の背部８の上下端部には左右に水平耳部９，９，９，９を突設する。
【００２３】
１１，１１は前記蓋板材１，１と中間板材７との中間に基端取付部を前記蓋板材の段部６，６に枢着して介在するとともに蓋板材の凹み部３，３の内側に収容されるように成る収納板材で、この収納板材には一体に成る中間板部１２，１２をはさんで表裏両面部が対称的に形成する。
【００２４】
また、前記中間板材７においても一体に成る中間板部１２をはさんで表裏両面部を対称的に形成する。
【００２５】
１３，１３，１３は前記中間板材７及び収納板材１１，１１における各中間板部１２，１２，１２の中心部に設けた指掛け用の中心孔で、この中心孔の表裏両面部周囲には若干の隆起部１３'，１３'を形成し、この隆起部にはＣＤａの中心孔周囲部が載置し、ＣＤ面を後記各収納部１４，１４，１４の底面から若干離間する状態にする。
【００２６】
前記各中心孔１３，１３，１３を中心に前記各中間板部１２，１２，１２の表裏両面部に、ＣＤの面積よりやや広く成る各収納部１４，１４を、その周囲に断続的な周壁１５，１５を設けて形成する。この各周壁１５，１５の高さは、それぞれＣＤの厚さ分が係合収納するように成る。
【００２７】
前記周壁１５，１５の全体は真円形ではなく、表裏両面部においては互に４５°のずれた位置にある周壁の途切れた後記弾発片１８，１８の設置箇所には、それぞれ後記凸起部４２の厚さ分の押圧によってできる２mm位の長さの直線部分ができるようになる。しかし、これは現物上では視認することはできない仮想直線である。
【００２８】
かくすることによってＣＤを収納部の表裏両面部に収納したときでも、表裏のＣＤの中心孔はそれぞれ４５°ややずれて位置するようになり、指掛けによる取り上げが確実になる。
【００２９】
１６，１６，１６'，１６'は前記周壁１５，１５において前記収納部１４，１４の中心孔１３に対し４５°斜め方向の四箇所に設けた切欠部で、この切欠部のうち、横方向に並ぶ２つの切欠部１６，１６には前記表裏両収納部１４，１４の各表裏両面部の周囲から中心を外方に突設した軸部１７，１７の左右両側方に弾発片１８，１８を設け、全体として一見略円形に成るように前記周壁１５，１５の一部を形成する。
【００３０】
前記弾発片１８，１８の両端部には、前記周壁１５，１５の内周面より内方に突出した内側円形に成る突接部１９，１９を設け、この突接部の上端部には内側方向に抑止爪１９'，１９'を突設する。
【００３１】
前記切欠部のうち、他の２つの切欠部１６'，１６'には指掛孔２１，２１を設け、この指掛孔は前記切欠部１６，１６の対角線上の位置にあるから、前記弾発片１８，１８と対面するように成る。また、この指掛孔２１，２１に隣接して指押しを示す矢印を付ける。
【００３２】
２０，２０は前記中間板材７及び収納板材１１，１１の各収納部１４，１４，１４に面して弾発片１８，１８部と反対側の周壁１５，１５の内側上部に突設する突爪で、この突爪は収納するＣＤの上面部を抑止する。
【００３３】
前記突爪２０，２０の下側部には、前記周壁１５面から内側に凸起部４２，４２を突設する。これによって、突爪下に上面一部を抑止されたＣＤの周縁は、前記弾発片１８の両突接部１９，１９による加圧によって凸起部４２，４２に圧接される。
【００３４】
前記中間板材７及び収納板材１１，１１の各中間板部１２，１２，１２の表裏両面部に形成する収納部１４，１４，１４の周壁に対面する弾性片１８，１８と突爪２０，２０は、それぞれ距離をおいた位置に設けられているし、弾性片の抑止爪１９'，１９'と突爪の凸起部４２，４２との対面間隔は、表裏両面部に中心孔１３からそれぞれ例えば１２０°開いた状態にある。
【００３５】
したがって、ＣＤをそれぞれの収納部に収納したとき、ＣＤの周縁は前記弾性片の抑止爪と突爪の凸起部との間で加圧されたＣＤの周縁部は、加圧力からの解放を求めて非加圧周縁部方向に前記凸起部の厚さ分だけそれぞれ逃げるようになる。これによって、表裏両面部の両ＣＤの中心孔は中間板材や収納板材の１３と凸起部の厚さ分だけずれるとともに、ＣＤどおしの各中心孔も互にずれるようになる。
【００３６】
前記収納板材１１，１１の中間板部１２，１２の基端取付部とは反対側の外縁部には、前記蓋板材１，１の開口正面部の凹形部４，４の内側面に一致するように円形状の内凹形部を形成する。
【００３７】
前記中間板材７の左右両側面部における構成は、実質的に前記収納板材１１のその構成と同一である。ただし、中間板材７の中間板部１２の外周囲は、前記背部８と水平耳部９，９，９，９と一体に成る周壁部２２，２２を形成し、この中間板材７の周壁部２２，２２は前記蓋板材１，１の周枠部２，２と全面が面一状態に形成するように成るから、閉口時に出っ張り部分はない。
【００３８】
左右の蓋板材１，１が中間板材７をはさんで閉口したとき、両蓋板材の開口正面部には凹形部４，４と凸形部５，５とは、中間板材７の前周壁部２２をはさんで互に上下対称位置にある。
【００３９】
２３は前記蓋板材１，１の開口正面部の周枠部２，２内側の凹形部と凸形部とが接する中央部に形成した角部で、この角部に中間板材７の前周壁部の中央部に設けた角突子２４のキーが係合して固定するように成る。
【００４０】
第２実施例（図８参照）
この例は、２枚のＣＤを収納板材の表裏両面部の上下二段の収納部に収納するシート形の収納具である。収納部は、必要に応じて三段にしてもよい。
【００４１】
２５は上下にＣＤ収納部２６，２６を構成した収納板材で、この収納板材の一側端部にはファイル用耳片２７を設ける。
【００４２】
２８は前記ファイル用耳片２７に設けた通孔で、この通孔に適当な綴じ紐を介して所定のファイルに保管する。
【００４３】
２９，２９は前記収納板材２５における各収納部２６，２６の中間板部で、この中間板の中心部に設けた指掛け用の中心孔３０，３０の表裏両面部周囲には若干の隆起部３０'，３０'を形成し、この隆起部にはＣＤの中心孔周囲部が載置し、ＣＤ面を前記各収納部２６，２６の底面から若干離間する状態にする。
【００４４】
前記各中心孔３０を中心に中間板部２９の表裏両面部には、ＣＤの面積よりやや広く成る収納部２６，２６を、その周囲に断続的な周壁３５，３５を設けて形成する。この各周壁３５，３５の高さは、それぞれＣＤの厚さ分が係合収納するように成る。
【００４５】
３６，３６，３６'３６'は前記周壁３５，３５において前記収納部２６，２６の中心孔３０に対し４５°斜め方向の四箇所に設けた切欠部で、この切欠部のうち、横方向に並ぶ２つの切欠部３６，３６には前記両収納部２６，２６の各表裏両面部の周囲から中心を外方に突設した軸部３７，３７の左右両側方に弾発片３８，３８を設け、全体として一見略円形に成るように前記周壁３５，３５の一部を形成する。
【００４６】
前記弾発片３８，３８の両端部には、前記周壁３５，３５の内周面より内方に突出した内側円形に成る突接部３９，３９を設け、この突接部の上端部には内側方向に抑止爪３９'，３９'を突設する。
【００４７】
前記切欠部のうち他の２つの切欠部３６'，３６'には指掛孔４１，４１を設け、この指掛孔は前記切欠部３６，３６の対角線上の位置にあるから、前記弾発片３８，３８と対面するように成る。また、この指掛孔４１，４１に隣接して指押しを示す矢印を付ける。
【００４８】
４０，４０は前記収納板材２５の両収納部２６，２６に面して弾発片３８，３８部と反対側の周壁３５，３５の内側上部に突設する突爪で、この突爪は収納するＣＤの上面部を抑止する。
【００４９】
前記突爪４０，４０の下側部には、前記周壁３５，３５面から内周に凸起部４３，４３を突設する。したがって、前記突爪下に上面一部を抑止されたＣＤ周縁は、前記弾発片３８の両突接部３９，３９による加圧によって凸起部４３，４３に圧接される。
【００５０】
収納板材２５，２５の各中間板部２９，２９の表裏両面部に形成する収納部２６，２６の周壁に対面する弾性片３８，３８と突爪４０，４０は、それぞれ距離をおいた位置に設けられているし、弾性片の抑止爪３９'，３９'と突爪の凸起部４３，４３との対面間隔は、表裏両面部に中心孔３０からそれぞれ例えば１２０°開いた位置にある。
【００５１】
したがって、ＣＤをそれぞれの収納部に収納したとき、ＣＤの周縁は弾性片の抑止爪と突爪の凸起部との間で加圧されたＣＤの周縁部は、加圧力からの解放を求めて非加圧周縁部の例えば１６０°開いた方向に前記凸起部の厚さ分だけそれぞれ逃げるようになる。これによって、表裏両面部の両ＣＤの中心孔は収納板材の各中心孔３０と凸起部の厚さ分だけずれるとともに、ＣＤどおしの各中心孔も互にずれるようになる。
【００５２】
【発明の効果】
本発明具によるときは、収納状態にあるＣＤを１枚宛、指先をＣＤの中心孔に挿入して取り出すときに、誤まって反対側のＣＤまで指を掛けることはなく、取り出しを常にスムースかつ確実に行うことができる。
【００５３】
また、各ＣＤの収納取付けは迅速かつ確実に行うことができる。
【００５４】
ＣＤの光学記録面側にたとえゴミ等が混入しても、当該記録面が擦傷して障害となるようなことは起らない。
【００５５】
携帯と保管をきわめて良好にすることができる。
【００５６】
比較的製造コストを安価にすることができる。
【００５７】
複数段に構成したシート形の収納具にあっては、これを紙用ファイルと同様の要領で綴じておくことができる。
【図面の簡単な説明】
【図１】全体の展開状態を示した斜視図
【図２】一部の展開状態を示した斜視図
【図３】要部の平面図
【図４】図３に示した平面部におけるＡ−Ａ線の正断面図
【図５】要部の拡大斜視図
【図６】全体の閉口時の正斜視図
【図７】全体の閉口時の背斜視図
【図８】他例の要部の斜視図
【符号の説明】
１，１        蓋板材
２、２        集枠部
３            凹み部
４，４        凹形部
７            中間板材
１１          収納板材
１２          中間板部
１３          中心孔
１３'         隆起部
１４          収納部
１５          周壁
１７          軸部
１８          弾発片
１９，１９    突接部
１９'，１９'  抑止爪
２０          突爪
４２          凸起部
２１          指掛孔
２２          周壁部
２５          収納板材
２６          収納部
２７          ファイル用耳片
２９          中間板部
３０          中心孔
３０'         隆起部
３５          周壁
３８          弾発片
３９，３９    突接部
３９'，３９'  抑止爪
４０          突爪
４３，４３    凸起部
【図１】
0003871778.tif 000002
【図２】
0003871778.tif 000003
【図３】
0003871778.tif 000004
【図４】
0003871778.tif 000005
【図５】
0003871778.tif 000006
【図６】
0003871778.tif 000007
【図７】
0003871778.tif 000008
【図８】
0003871778.tif 000009